(57)【要約】【課題】新たに防雨板や防滴部材等を追加せずに、燃焼用空気の給気量を増大させると共に防水性能の向上を図った屋外設置型の燃焼装置を提供することである。【解決手段】屋外設置型の燃焼装置１は、ケース２内に、燃焼部４と、この燃焼部４に燃焼用空気を供給する為の送風手段５と、燃焼部４の燃焼熱によって流体を加熱する熱交換器６とを備え、ケース２の底面板１９と背面板１７に、ケース２内方に向けて切り起し形成された給気用開口部２５を設け、給気用開口部２５は、底面板１９に形成された複数の第１給気用開口部２６と、背面板１７に形成された複数の第２給気用開口部２７とからなり、第１給気用開口部２６と第２給気用開口部２７とが対向するように、複数の第１給気用開口部２６の切り起し片２６ａと複数の第２給気用開口部２７の切り起し片２７ａとが相接近する方向へ向けて形成されている。【選択図】  図３
2013152056.tif 000002
【特許請求の範囲】
【請求項１】
ケース内に、燃焼部と、この燃焼部に燃焼用空気を供給する為の送風手段と、前記燃焼部の燃焼熱によって流体を加熱する熱交換器とを備えた屋外設置型の燃焼装置において、
前記ケースの底面板と背面板に、ケース内方に向けて切り起し形成された給気用開口部を設け、
前記給気用開口部は、前記底面板に形成された複数の第１給気用開口部と、前記背面板に形成された複数の第２給気用開口部とからなり、
前記第１給気用開口部と前記第２給気用開口部とが対向するように、前記複数の第１給気用開口部の切り起し片と前記複数の第２給気用開口部の切り起し片とが相接近する方向へ向けて形成されたことを特徴とする屋外設置型の燃焼装置。
【請求項２】
前記複数の第２給気用開口部は、前記送風手段の吸い込み口の下端よりも低い位置に形成されたことを特徴とする請求項１に記載の屋外設置型の燃焼装置。
【請求項３】
前記複数の第１給気用開口部は、前記背面板に形成された最上段の第２給気用開口部の切り起し片から底面板側へ延ばした延長線よりも背面板側に位置していること特徴とする請求項１又は２に記載の屋外設置型の燃焼装置。
【発明の詳細な説明】
【技術分野】
【０００１】
本発明は屋外設置型の燃焼装置に関し、特に、外装ケースの底面板と背面板に複数の給気用開口部を設けて空気の給気量を増大させるように構成した燃焼装置に関する。
【背景技術】
【０００２】
従来から、強制燃焼式の燃焼部を有する屋外設置型の燃焼装置が実用に供されている。この種の燃焼装置は、直方体状の外装ケースの内部に、ガスバーナーからなる燃焼部と、この燃焼部に燃焼用空気を供給する為の送風機と、前記燃焼部から発生する燃焼熱によって水を加熱して湯水を生成する熱交換器と、給水管や出湯管等の各種配管類や各種機器を駆動制御する為の電装部品等を備えている。
【０００３】
上述の燃焼装置は、送風機を使用して燃焼用空気を外装ケースの外部から取り込んで、燃焼部に供給する必要があるので、一般的に、外装ケースの前面板には、複数の給気口が設けられている。例えば、特許文献１の燃焼装置には、前面板にケース外方に向けて切り起し形成された複数の給気口が設けられた構造が開示されている。
【０００４】
ところで、前面板側の複数の給気口から空気を取り込む場合、雨水等が外装ケース内に侵入しないように、特許文献１のように、外装ケース内には前面板に対向状に仕切り板（防雨板）が配設されている。この仕切り板は、給気口から外装ケース内に流入する空気の導入経路を形成するものであり、この空気導入経路によって空気に含まれる雨水等を除去しながら、清浄な空気を外装ケース内に取り込むことができる。
【０００５】
また、特許文献１には、外装ケースの背面板にも複数の給気口が設けられた構造が開示されている。この構造によれば、外装ケース内に取り込まれる空気の給気量は増大するが、外装ケース内への雨水等の侵入量も増加するので、前面板の給気口と同様に、背面板にも複数の給気口に対向するように防雨板が配置される、或いは、外装ケース内にパッキンや防滴カバー等の防滴部材が追加されることになる。
【先行技術文献】
【特許文献】
【０００６】
【特許文献１】特開２００３−２８７２８７号公報
【発明の概要】
【発明が解決しようとする課題】
【０００７】
しかし、外装ケース内に防雨板や防滴部材を追加すると、製造コストが高くなるという問題がある。しかも、近年の燃焼装置の燃焼能力の向上や低Ｎｏｘ・低コスト・低騒音化等の要求で、送風機の性能や回転数を上げずに空気の給気量を増加させることが望ましいが、前面板に加えて底面板や背面板に給気口を追加形成すると、前記の製造コストの問題が生じ、さらに、防雨板や防滴部材等を省略すると、外装ケース内に雨水等の侵入量が増加してしまう。
【０００８】
このように、燃焼装置においては、外装ケース内に取り込む空気の給気量を増大させようすると、防雨板や防滴部材等により製造コストが増大してしまい、またこれとは逆に、製造コストを抑制しようすると、底面板や背面板に給気口を設け難く、空気の給気量の増大が難しくなるという問題がある。
【０００９】
本発明は、新たに防雨板や防滴部材等を追加せずに、燃焼用空気の給気量を増大させると共に防水性能の向上を図った屋外設置型の燃焼装置を提供することである。
【課題を解決するための手段】
【００１０】
請求項１の屋外設置型の燃焼装置は、ケース内に、燃焼部と、この燃焼部に燃焼用空気を供給する為の送風手段と、前記燃焼部の燃焼熱によって流体を加熱する熱交換器とを備えた屋外設置型の燃焼装置において、前記ケースの底面板と背面板に、ケース内方に向けて切り起し形成された給気用開口部を設け、前記給気用開口部は、前記底面板に形成された複数の第１給気用開口部と、前記背面板に形成された複数の第２給気用開口部とからなり、前記第１給気用開口部と前記第２給気用開口部とが対向するように、前記複数の第１給気用開口部の切り起し片と前記複数の第２給気用開口部の切り起し片とが相接近する方向へ向けて形成されたことを特徴としている。
【００１１】
請求項２の屋外設置型の燃焼装置は、請求項１の発明において、前記複数の第２給気用開口部は、前記送風手段の吸い込み口の下端よりも低い位置に形成されたことを特徴としている。
【００１２】
請求項３の屋外設置型の燃焼装置は、請求項１又は２の発明において、前記複数の第１給気用開口部は、前記背面板に形成された最上段の第２給気用開口部の切り起し片から底面板側へ延ばした延長線よりも背面板側に位置していること特徴としている。
【発明の効果】
【００１３】
請求項１の発明によれば、第１給気用開口部と第２給気用開口部とが対向するように、複数の第１給気用開口部の切り起し片と複数の第２給気用開口部の切り起し片とが相接近する方向へ向けて形成されたので、複数の第１給気用開口部からの空気流と複数の第２給気用開口部からの空気流が対向方向へ流れ、第１給気用開口部から流入した空気と第２給気用開口部から流入した空気とが送風手段側に流れる前に衝突し、この衝突の影響と重力の影響を受けて、空気に含まれている雨水等を底面板側に落下させ、複数の第１給気用開口部から外部へ排出することができる。
【００１４】
従って、底面板側の第１給気用開口部と背面板側の第２給気用開口部とを介して十分な空気の給気量を確保しつつ、ケース内への雨水等の侵入量を低減すると共に侵入した雨水等の排出を促進することができる。また、ケース内に防雨板や防滴部材等を追加することなく給気量を増大させ且つ防水性能を向上させることができ、製造コストも抑制することができる。
【００１５】
請求項２の発明によれば、複数の第２給気用開口部は、送風手段の吸い込み口の下端よりも低い位置に形成されたので、複数の第２給気用開口部から流入した空気は、送風手段の吸い込み口に到達する前に、第１給気用開口部から流入した空気と衝突することになる。
【００１６】
請求項３の発明によれば、複数の第１給気用開口部は、背面板に形成された最上段の第２給気用開口部の切り起し片から底面板側へ延ばした延長線よりも背面板側に位置しているので、複数の第１給気用開口部から底面板に落下した雨水等を外部への排出を促進することができ、ケース内の前方への水滴の飛散を防止することができる。
【図面の簡単な説明】
【００１７】
【図１】実施例にかかる屋外設置型の燃焼装置の正面図である。
【図２】屋外設置型の燃焼装置の縦断面図である。
【図３】図２の部分拡大図である。
【図４】図３のａ線矢視図である。
【発明を実施するための形態】
【００１８】
以下、本発明を実施するための形態について実施例に基づいて説明する。
【実施例】
【００１９】
先ず、屋外設置型の燃焼装置１の全体構造について説明する。
図１，図２に示すように、屋外設置型の燃焼装置１は、外装ケース２の内部に、燃焼室３と、燃焼部４と、この燃焼部４に燃焼用空気を供給する為の送風機５と、燃焼部４の燃焼熱によって水（流体）を加熱する熱交換器６と、燃料供給管７と、給水管８と、出湯管９と、電装部品１０等を備え、外装ケース２の上下両端部の１対の取付部２ａ，２ｂを介して建物の壁面等に取り付けられている。
【００２０】
燃焼室３は、外装ケース２内の中段部から上部にかけて設けられ、この燃焼室３内の下部に燃焼部４が配設されている。燃焼部４は、燃料供給管７から供給される燃料ガスを燃焼用空気と混合させて燃焼させる公知の複数のガスバーナーで構成されている。燃焼室３の下端面に、燃焼用空気を燃焼室３内に供給する送風機５が配設されている。
【００２１】
熱交換器６は、燃焼室３内の上部であって燃焼部４の上方に配設されている。熱交換器６は、熱交換用フィンを有する配管６ａを備えており、配管６ａを流れる水と燃焼部４で生成される火炎の燃焼熱との間で熱交換する。この配管６ａの上流端に給水管８の下流端が接続され、配管６ａの下流端に出湯管９の上流端が接続されている。この熱交換器６の上方に、燃焼排ガスを排出する排気筒１１が配設されている。
【００２２】
送風機５（送風手段に相当する）は、外装ケース２の内部の下部に配設され、例えば、公知のシロッコファンで構成されている。送風機５は、ケーシング５ａと、ケーシング５ａに形成された吸い込み口５ｂと、ケーシング５ａ内に回転可能に設けられた回転羽根５ｃと、この回転羽根５ｃを回転駆動する為の駆動モータ部５ｄとを備え、吸い込み口５ｂが後方の背面板１７側に向いた状態で燃焼室３の底面に固定されている。外装ケース２内において、送風機５の前面板１５側には、燃焼装置１の各種駆動制御を行う電装部品１０が配設されている。
【００２３】
燃焼部４に燃料供給管７から燃料ガスが供給されると共に、送風機５から空気が燃焼室３に供給され、燃料ガスが空気と混合され燃焼され、この火炎の燃焼熱で熱交換器６内の水を加熱し、その後、燃焼排ガスは排気筒１１を介して排気口１３から外部に排出される。一方、熱交換器６においては、外部の上水源から給水管８に水が供給されると、この水は熱交換器６の配管６ａを流れ、上述のように熱交換器６にて水は加熱されて湯水となり、出湯管９から外部に出湯される。
【００２４】
次に、外装ケース２について説明する。
図１〜図４に示すように、外装ケース２は、薄鋼板製の直方体状の箱状に構成され、前面板１５と、１対の側面板１６と、背面板１７と、天面板１８と、底面板１９とを備えている。外装ケース２内には、前面板１５に対向状に防雨板２１が縦向きに配設されている。前面板１５の上部には排気筒１１に接続する排気口１３が設けられている。底面板１９には、燃料供給管７、給水管８、出湯管９、電源線１４等が挿通する複数の貫通孔１９ａ，１９ｂ，１９ｃ，１９ｄが形成されている（図４参照）。
【００２５】
図１，図２に示すように、前面板１５の下部には、複数の小さい円形状の給気口２２が形成されている。これら複数の給気口２２から外装ケース２内に空気を取り込む場合、送風機５の駆動に伴い、複数の給気口２２から外装ケース２内に流入した空気は、先ずは、前面板１５と防雨板２１との隙間を伝って上方に流れ、次に、防雨板２１の上側を回り込んで、防雨板２１と燃焼室３との隙間を伝って下方に流れ、送風機５の吸い込み口５ｂを介して燃焼室３内に取り込まれる。このような流路で空気が流れことで、送風機５に達するまでに空気に含まれる雨水等を防雨板２１により除去することができる。
【００２６】
次に、本発明に関連する底面板１９と背面板１７に形成された給気用開口部２５について説明する。
図３，図４に示すように、外装ケース２の底面板１９と背面板１７に、外装ケース２の内方に向けて切り起し形成された給気用開口部２５が設けられている。この給気用開口部２５は、底面板１９に形成された複数の第１給気用開口部２６と、背面板１７に形成された複数の第２給気用開口部２７とからなる。
【００２７】
複数の第１給気用開口部２６は、底面板１９の後端側部分の中央部分に３行２列の整列状態に夫々形成されている。各第１給気用開口部２６は、底面板１９の左右方向に延びるスリット状の開口であり、その開口の前端部には、切り起し片２６ａが夫々形成されている。各切り起し片２６ａの自由端側は、外装ケース２の内方であって背面板１７側に向けて突出している。
【００２８】
複数の第２給気用開口部２７は、背面板１７の下端側部分の中央部分に５行２列の整列状態に夫々形成されている。各第２給気用開口部２７は、背面板１７の左右方向に延びるスリット状の開口であり、その開口の上端部には、切り起し片２７ａが夫々形成されている。各切り起し片２７ａの自由端側は、外装ケース２の内方であって底面板１９側に向けて突出している。
【００２９】
図３，図４に示すように、第１給気用開口部２６と第２給気用開口部２７とが対向するように、複数の第１給気用開口部２６の切り起し片２６ａと複数の第２給気用開口部２７の切り起し片２７ａとが相接近する方向へ向けて形成されている。第１給気用開口部２６の切り起し片２６ａの傾斜角度は、底面板１９に対して約４５度程度に設定され、第２給気用開口部２７の切り起し片２７ａの傾斜角度も同様に、背面板１７に対して約４５度程度に設定されている。
【００３０】
さらに、複数の第１給気用開口部２６は、背面板１７に形成された最上段の第２給気用開口部２７の切り起し片２７ａから底面板１９側へ延ばした延長線Ｌよりも背面板１７側に位置すると共に、複数の第２給気用開口部２７は、送風機５の吸い込み口５ｂの下端よりも低い位置に形成されている。尚、これら複数の第１，第２給気用開口部２６，２７が形成された領域は、送風機５の吸い込み口５ｂの略下側に位置している。
【００３１】
次に、本発明の屋外設置型の燃焼装置１の作用及び効果について説明する。  
燃焼装置１の起動に伴い、送風機５が回転駆動すると、前面板１５の複数の給気口２２から外装ケース２内に空気が流入すると共に、底面板１９の第１給気用開口部２６及び背面板１７の第２給気用開口部２７からも外装ケース２内に空気が流入する。このとき、図３に示すように、第１給気用開口部２６からの空気流Ｗ１は斜め上方へ向き、第２給気用開口部２７からの空気流Ｗ２は斜め下方へ向き、空気流Ｗ１，Ｗ２が対向方向に流れて互いに衝突する。
【００３２】
空気の衝突時には、外装ケース２内における送風機５の下方空間に乱流が発生し、空気に含まれている雨水等は、重力の影響とも相まって、底面板１９側に落下する。この落下した雨水等は、底面板１９の上面から複数の第１給気用開口部２６を介して外部へ排出される。衝突後の雨水等が取り除かれた空気は、送風機５の吸い込み口５ｂに向けて上昇し、吸い込み口５ｂを介して燃焼室３に供給される。
【００３３】
ここで、例えば、外装ケース２の底面板１９又は背面板１７の一方にのみ給気用開口部２５が設けられている場合、給気用開口部２５から外装ケース２内に空気を取り込んでも、上述のような空気の衝突による乱流が発生せず、雨水等を含んだ空気が送風機５に取り込まれて燃焼室３に侵入し易いが、本発明の第１，第２給気用開口部２６，２７を対向状に形成した構造を採用することで、空気の乱流を利用して雨水等を空気中から除去することができ、外装ケース２内に新たに防雨板や防滴部材等を設置する必要がなくなる。
【００３４】
このように、第１給気用開口部２６と第２給気用開口部２７とが対向するように、複数の第１給気用開口部２６の切り起し片２６ａと複数の第２給気用開口部２７の切り起し片２７ａとが相接近する方向へ向けて形成されたので、複数の第１給気用開口部２６からの空気流Ｗ１と複数の第２給気用開口部２７からの空気流Ｗ２が対向方向へ流れ、第１給気用開口部２６から流入した空気と第２給気用開口部２７から流入した空気とが送風機５側へ流れる前に衝突し、この衝突の影響と重力の影響を受けて、空気に含まれている雨水等を底面板１９側に落下させ、複数の第１給気用開口部２６から外部へ排出することができる。
【００３５】
従って、底面板１９側の第１給気用開口部２６と背面板１７側の第２給気用開口部２７とを介して十分な空気の給気量を確保しつつ、外装ケース２内への雨水等の侵入量を低減すると共に侵入した雨水等の排出を促進することができる。また、外装ケース２内に防雨板や防滴部材等を追加することなく給気量を増大させ且つ防水性能を向上させることができ、製造コストも抑制することができる。
【００３６】
また、複数の第２給気用開口部２７は、送風機５の吸い込み口５ｂの下端よりも低い位置に形成されたので、複数の第２給気用開口部２７から流入した空気は、送風機５の吸い込み口５ｂに到達する前に、第１給気用開口部２６から流入した空気と衝突することになる。
【００３７】
さらに、複数の第１給気用開口部２６は、背面板１７に形成された最上段の第２給気用開口部２７の切り起し片２７ａから底面板１９側へ延ばした延長線Ｌよりも背面板１７側に位置しているので、複数の第１給気用開口部２６から底面板１９に落下した雨水等を外部への排出を促進することができ、外装ケース２内の電装部品１０のある前方への水滴の飛散を防止することができ、電装部品１０の腐食を防止することができる。
【００３８】
次に、前記実施例を部分的に変更した形態について説明する。
［１］前記第１給気用開口部２６と第２給気用開口部２７の数や配置は、上記の構成に限定するものではなく、要求される空気の給気量に応じて適宜変更可能である。
【００３９】
［２］前記切り起し片２６ａ，２７ａの傾斜角度は、上記の値に限定するものではなく、４０〜５０度の角度であっても良いし、第１給気用開口部２６の切り起し片２６ａを約６０度の角度、第２給気用開口部２７の切り起し片２７ａを約３０度の角度であっても良いし、これ以外の設定角度を採用しても良い。
【００４０】
［３］その他、当業者であれば、本発明の趣旨を逸脱することなく、前記実施例に種々の変更を付加した形態で実施可能であり、本発明はそのような変更形態を包含するものである。
【符号の説明】
【００４１】
１    屋外設置型の燃焼装置
２    外装ケース
４    燃焼部
５    送風機（送風手段）
５ｂ    吸い込み口
６    熱交換器
１７    背面板
１９    底面板
２５    給気用開口部
２６    第１給気用開口部
２６ａ    切り起し片
２７    第２給気用開口部
２７ａ    切り起し片
【図１】
2013152056.tif 000003
【図２】
2013152056.tif 000004
【図３】
2013152056.tif 000005
【図４】
2013152056.tif 000006